(57)【要約】【課題】機密情報等が記載された用紙を裁断処理した紙くずを原料として上質のリサイクル用紙を製造することは、紙の繊維の大きさが小さいことによる技術的課題が大きく、ほとんどの場合焼却処理されている。機密情報等が記載された用紙において、裁断処理が必要な部分のみを裁断処理することにより、残存する部分の紙の繊維の大きさを確保し、上質用紙へのリサイクルを容易にする。【解決手段】小口径の穿孔装置に光学読み取り装置と読み取り結果を画像処理する演算装置を内蔵し、画像処理演算結果を元に用紙中の裁断するべき箇所を認識し、穿孔装置により穿孔することにより、裁断不要な部分をできるかぎり大きな紙片として残存させる。【選択図】図１
2007222860.tif 000002
【特許請求の範囲】
【請求項１】
機密文書を処理する方式で、光学読み取り部と穿孔用の刃を備え、光学読み取り部により読み取った画像情報を元に、画像処理演算および制御部により演算を行うことで、裁断が必要な部分のみを穿孔用の刃で裁断する、機密文書処理方式。
【請求項２】
前記画像処理演算および制御部は、光学読み取り部で読み取った画像情報の中で、あらかじめ設定された閾値よりも濃く読み取った部分をすべて裁断する画像処理演算および制御を行うことを特徴とする、請求項１記載の機密文書処理方式。
【請求項３】
前記画像処理演算および制御部は、光学読み取り部で読み取った画像情報の中の閾値を、使用者により可変とすることが可能なことを特徴とする、請求項２記載の機密文書処理方式。
【請求項４】
前記使用者による閾値の変更は、機密文書処理装置に備わるつまみ等により実現され、設定装置などが不要であることを特徴とする、請求項３記載の機密文書処理方式。
【請求項５】
前記画像処理演算および制御部は、あらかじめ裁断処理部分を設定することにより、画像処理演算を行わずに同一の箇所の裁断を、より高速に行うことができる機能を備えることを特徴とする、請求項２，３，４記載機密文書処理装置。
【請求項６】
前記裁断部分の設定は、パーソナルコンピュータ等により行えることを特徴とする、請求項５記載の機密文書処理方式。
【請求項７】
前記裁断部分の設定は、裁断部分を示す代表用紙を光学読み取り部を用いて読み取ることにより行えることを特徴とする、請求項５記載の機密文書処理方式。
【請求項８】
光学読み取り部で読み取った画像情報を、パーソナルコンピュータ等に電子データとして保存しながら裁断処理を行うことを特徴とする、請求項１，２，３，４記載の機密文書処理方式。
【請求項９】
前記光学読み取り部を複数備えることにより、機密文書の両面の画像情報を元に裁断を行うことを特徴とする、請求項１，２，３，４，５，７，８記載の機密文書処理方式。
【請求項１０】
前記光学読み取り装置に対して、機密文書を裏返す機構を備えることを特徴とする、請求項１，２，３，４，５，７，８記載の機密文書処理方式。
【請求項１１】
前記画像処理演算および制御部は、光学読み取り部で読み取った画像情報から文字情報を抽出する機能を備えることにより、文字情報部分のみを裁断することを可能とする、請求項１記載の機密文書処理方式。
【請求項１２】
前記画像処理演算および制御部は、あらかじめ裁断処理部分を設定することにより、画像処理演算を行わずに同一の箇所の裁断を、より高速に行うことができる機能を備えることを特徴とする、請求項１２記載機密文書処理装置。
【請求項１３】
光学読み取り部で読み取った画像情報を、パーソナルコンピュータ等に電子データとして保存しながら裁断処理を行うことを特徴とする、請求項１１，１２記載の機密文書処理方式。
【請求項１４】
前記電子データは、画像情報としてだけでなく、文字情報を含む電子データであるこを特徴とする、請求項１３記載の機密文書処理方式。
【請求項１５】
前記光学読み取り部を複数備えることにより、機密文書の両面の画像情報を元に裁断を行うことを特徴とする、請求項１１，１２，１３，１４記載の機密文書処理方式。
【請求項１６】
前記光学読み取り装置に対して、機密文書を裏返す機構を備えることを特徴とする、請求項１１，１２，１３，１４記載の機密文書処理方式。
【請求項１７】
１軸方向に移動可能な穿孔ヘッドを持つことにより、少ない穿孔刃で任意の位置を穿孔可能とすることを特徴とする、請求項１〜１６記載の機密文書処理方式。
【請求項１８】
複数枚の要裁断用紙を穿孔刃部分に蓄積し、それらの画像情報を演算処理し、いずれかの用紙について裁断する必要のある箇所を複数枚重ねて穿孔することにより、短時間により大量の用紙の処理が可能であることを特徴とする、請求項１〜１７記載の機密文書処理方式。
【発明の詳細な説明】
【技術分野】
【０００１】  本発明は、機密文書等を裁断処理する方式に関する。
【背景技術】
【０００２】  従来は、機密文書の用紙全体を細長く、あるいは短冊状に裁断する方式であった。
【特許文献１】  特開２０００−１８８８３３号広報
【発明の開示】
【発明が解決しようとする課題】
【０００３】  細かく裁断された用紙は、上質のリサイクル用紙としての原料に適さず、現状では焼却処理されることが多いという課題がある。【０００４】  しかしながら、さまざまな環境問題への取り組みを求められる中で、用紙のリサイクル利用率のますますの向上は必然であるという考え方は、社会共通の理念として捕らえられている。【０００５】  そこで、機密文書をリサイクル用紙としての原料に用いる方式として、リサイクル事業を行う事業者との間で機密保持契約を結んだ上で、密閉梱包した状態での引き渡し、開墾せずに溶解処理する方式や、リサイクル事業を行う事業者が用紙原料への溶解処理を行う大型の装置を内蔵した車両等を携えて訪れ、その場で機密文書を溶解処理するなどの方式が、執り行われるようになった。【０００６】  しかしながら、密閉梱包した状態での引き渡しでは、事故や人的ミス、あるいは悪意を持った者による機密漏洩を完全に防ぎきることはできないという情報セキュリティ上の課題を有し、大型の装置を携えて移動しての溶解処理では、コストが非常にかかるという課題を有する。
【課題を解決するための手段】
【０００７】  本発明は上述の課題を解決するためになされたもので、機密文書中の裁断処理が必要な部分のみを自動的に選択裁断し、裁断が不要な部分についてはできるだけ繊維の大きさを確保した状態で残存させて、上質なリサイクル用紙用の原料として使用することを可能にするものである。【０００８】  まず、裁断される用紙を光学読み取り部で読み取り、画像処理演算および制御部により裁断処理が必要な部分を選択する。次に、裁断処理が必要な部分を穿孔用の刃で穿孔することにより細かく裁断する。裁断されたくずと残存した用紙部分をそれぞれ別の容器に投入することにより、裁断不要な部分を取り出すことにより上質リサイクル用紙の原料用に供することを可能とする。
【発明の効果】
【０００９】  本発明の機密文書処理方式による装置（以下、本装置と呼ぶ）を用いれば、第３者の手にゆだねることなく裁断処理を行った上で、裁断処理が不要な部分についてのみをリサイクル原料に供することにより、機密情報に対するセキュリティを当事者の目の届く範囲で確保した上で、リサイクルへの対応を可能とする効果がある。【００１０】  また、光学読み取り装置を有することにより、本装置にパーソナルコンピュータ等を接続し、裁断と同時に画像情報としての保存を行うことが可能となり、文書の電子化と裁断処理を自動で行うことが出来るという効果もある。【００１１】  さらには、従来の裁断装置における課題であった「裁断くずに皺がより、圧縮しないと容積がかさばる」点も、本装置の裁断くずには皺がよらないことで解決でき、裁断くず入れ部からの取り出し頻度も大幅に削減され、使用者の利便性が大きく向上する効果がある。
【発明を実施するための最良の形態】
【００１２】  以下、本発明の実施の形態を図１に基づいて説明する。【００１３】  図１において、用紙ストック部１に要裁断用紙２を、要裁断情報が光学読み取り部４により読み取り可能な面を向くように置き、処理を実行する。【００１４】  本装置は少なくとも１以上の光学読み取り部４を備え、読み取った情報を画像処理演算および制御部５と裁断のための穿孔用刃７を備え、裁断くず８と裁断後残存用紙１０を分別して収集する裁断くず入れ部９と残存用紙部入れ部１２を備える。
【実施例１】
【００１５】  図１において、用紙ストック部１に置かれた要裁断用紙２は、用紙送りローラー３により光学読み取り装置４の読み取り位置に送られる。【００１６】  光学読み取り装置４は用紙の画像情報を読み取り、画像処理演算および制御部５に送る。前記画像処理演算および制御部はあらかじめ与えられたアルゴリズムにより、用紙の裁断が必要な部分を割り出し、用紙を用紙送りローラー６により穿孔用刃７の位置に送り、裁断が必要な部分のみを穿孔する。【００１７】  裁断くず８は裁断くず入れ部９にたまり、裁断されなかった裁断後残存用紙１０は用紙送りローラー１１により残存用紙入れ部１２に投入される。【００１８】  図２は前記穿孔用刃の部分を上面から見た一例であり、前記穿孔用刃は複数列に分かれて多数取り付けられており、裁断が必要な領域について複数回に分けて穿孔することにより、必要十分な裁断を実現する。
【実施例２】
【００１９】  図３において、用紙の両面を読みとれるように前記光学読み取り部を複数備えることにより、両面印刷された用紙であっても裁断が必要な部分を適切に割り出し、穿孔することにより裁断する。
【実施例３】
【００２０】  図４において、用紙を表裏反転する機構を備えることにより、両面印刷された用紙であっても裁断が必要な部分を適切に割り出し、穿孔することにより裁断する。
【実施例４】
【００２１】  図５において、パーソナルコンピュータ等との接続インターフェースを備えることにより、電子データとして保管する機能と同時に、裁断が必要な部分適切に割り出し、穿孔することにより裁断する。
【実施例５】
【００２２】  図６において、少数の穿孔用刃を持つ移動可能なヘッドにより、移動方向上の任意の位置に穿孔することにより裁断する。
【図面の簡単な説明】
【００２２】
【図１】  本発明の実施形態の内部構成を示す図である。
【図２】  本発明の実施例１の穿孔刃部の構成を示す図である。
【図３】  本発明の実施例２の内部構成を示す図である。
【図４】  本発明の実施例３の内部構成を示す図である。
【図５】  本発明の実施例４の実施形態を示す図である。
【符号の説明】
【００２３】  １  用紙ストック部
２  要裁断用紙
３  用紙送りローラー
４  光学読み取り部
５  画像処理演算および制御部
６  用紙送りローラー
７  穿孔用刃
８  裁断くず
９  裁断くず入れ部
１０  裁断後残存用紙
１１  用紙送りローラー
１２  残存用紙入れ部
１３  穿孔用刃
１４  第１面光学読み取り部
１５  第２面光学読み取り部
１６  用紙裏返し機構
１７  可動ローラー
１８  パーソナルコンピュータ
１９  穿孔ヘッド
【図１】
2007222860.tif 000003
【図２】
2007222860.tif 000004
【図３】
2007222860.tif 000005
【図４】
2007222860.tif 000006
【図５】
2007222860.tif 000007
【図６】
2007222860.tif 000008
【手続補正書】
【提出日】平成18年4月27日(2006.4.27)
【手続補正１】
【補正対象書類名】明細書
【補正対象項目名】全文
【補正方法】変更
【補正の内容】
【発明の詳細な説明】
【技術分野】
【０００１】  本発明は、機密文書等を裁断処理する方式に関する。
【背景技術】
【０００２】  従来は、機密文書の用紙全体を細長く、あるいは短冊状に裁断する方式であった。
【特許文献１】特開２０００−１８８８３３号広報
【発明の開示】
【発明が解決しようとする課題】
【０００３】  細かく裁断された用紙は、上質のリサイクル用紙としての原料に適さず、現状では焼却処理されることが多いという課題がある。【０００４】  しかしながら、さまざまな環境問題への取り組みを求められる中で、用紙のリサイクル利用率のますますの向上は必然であるという考え方は、社会共通の理念として捉えられている。【０００５】  そこで、機密文書をリサイクル用紙としての原料に用いる方式として、リサイクル事業を行う事業者との間で機密保持契約を結んだ上で、密閉梱包した状態での引き渡し、開梱せずに溶解処理する方式や、リサイクル事業を行う事業者が用紙原料への溶解処理を行う大型の装置を内蔵した車両等を携えて訪れ、その場で機密文書を溶解処理するなどの方式が、執り行われるようになった。【０００６】  しかしながら、密閉梱包した状態での引き渡しでは、事故や人的ミス、あるいは悪意を持った者による機密漏洩を完全に防ぎきることはできないという情報セキュリティ上の課題を有し、大型の装置を携えて移動しての溶解処理では、コストが非常にかかるという課題を有する。
【課題を解決するための手段】
【０００７】  本発明は上述の課題を解決するためになされたもので、機密文書中の裁断処理が必要な部分のみを自動的に選択裁断し、裁断が不要な部分についてはできるだけ繊維の大きさを確保した状態で残存させて、上質なリサイクル用紙用の原料として使用することを可能にするものである。【０００８】  まず、裁断される用紙を光学読み取り部で読み取り、画像処理演算および制御部により裁断処理が必要な部分を選択する。次に、裁断処理が必要な部分を穿孔用の刃で穿孔することにより細かく裁断する。裁断されたくずと残存した用紙部分をそれぞれ別の容器に投入することにより、裁断不要な部分を取り出すことにより上質リサイクル用紙の原料用に供することを可能とする。
【発明の効果】
【０００９】  本発明の機密文書処理方式による装置（以下、本装置と呼ぶ）を用いれば、第３者の手にゆだねることなく裁断処理を行った上で、裁断処理が不要な部分についてのみをリサイクル原料に供することにより、機密情報に対するセキュリティを当事者の目の届く範囲で確保した上で、リサイクルへの対応を可能とする効果がある。【００１０】  また、光学読み取り装置を有することにより、本装置にパーソナルコンピュータ等を接続し、裁断と同時に画像情報としての保存を行うことが可能となり、文書の電子化と裁断処理を自動で行うことが出来るという効果もある。【００１１】  さらには、従来の裁断装置における課題であった「裁断くずに皺がより、圧縮しないと容積がかさばる」点も、本装置の裁断くずには皺がよらないことで解決でき、裁断くず入れ部からの取り出し頻度も大幅に削減され、使用者の利便性が大きく向上する効果がある。
【発明を実施するための最良の形態】
【００１２】  以下、本発明の実施の形態を図１に基づいて説明する。【００１３】  図１において、用紙ストック部１に要裁断用紙２を、要裁断情報が光学読み取り部４により読み取り可能な面を向くように置き、処理を実行する。【００１４】  本装置は少なくとも１以上の光学読み取り部４を備え、読み取った情報を画像処理演算および制御部５と裁断のための穿孔用刃７を備え、裁断くず８と裁断後残存用紙１０を分別して収集する裁断くず入れ部９と残存用紙部入れ部１２を備える。
【実施例１】
【００１５】  図１において、用紙ストック部１に置かれた要裁断用紙２は、用紙送りローラー３により光学読み取り装置４の読み取り位置に送られる。【００１６】  光学読み取り装置４は用紙の画像情報を読み取り、画像処理演算および制御部５に送る。前記画像処理演算および制御部はあらかじめ与えられたアルゴリズムにより、用紙の裁断が必要な部分を割り出し、用紙を用紙送りローラー６により穿孔用刃７の位置に送り、裁断が必要な部分のみを穿孔する。【００１７】  裁断くず８は裁断くず入れ部９にたまり、裁断されなかった裁断後残存用紙１０は用紙送りローラー１１により残存用紙入れ部１２に投入される。【００１８】  図２は前記穿孔用刃の部分を上面から見た一例であり、前記穿孔用刃は複数列に分かれて多数取り付けられており、裁断が必要な領域について複数回に分けて穿孔することにより、必要十分な裁断を実現する。
【実施例２】
【００１９】  図３において、用紙の両面を読みとれるように前記光学読み取り部を複数備えることにより、両面印刷された用紙であっても裁断が必要な部分を適切に割り出し、穿孔することにより裁断する。
【実施例３】
【００２０】  図４において、用紙を表裏反転する機構を備えることにより、両面印刷された用紙であっても裁断が必要な部分を適切に割り出し、穿孔することにより裁断する。
【実施例４】
【００２１】  図５において、パーソナルコンピュータ等との接続インターフェースを備えることにより、電子データとして保管する機能と同時に、裁断が必要な部分適切に割り出し、穿孔することにより裁断する。
【実施例５】
【００２２】  図６において、少数の穿孔用刃を持つ移動可能なヘッドにより、移動方向上の任意の位置に穿孔することにより裁断する。
【図面の簡単な説明】
【００２３】
【図１】  本発明の実施形態の内部構成を示す図である。
【図２】  本発明の実施例１の穿孔刃部の構成を示す図である。
【図３】  本発明の実施例２の内部構成を示す図である。
【図４】  本発明の実施例３の内部構成を示す図である。
【図５】  本発明の実施例４の実施形態を示す図である。
【図６】  本発明の実施例５の移動する穿孔用刃の実施形態を示す図である。
【符号の説明】
【００２４】  １  用紙ストック部
２  要裁断用紙
３  用紙送りローラー
４  光学読み取り部
５  画像処理演算および制御部
６  用紙送りローラー
７  穿孔用刃
８  裁断くず
９  裁断くず入れ部
１０  裁断後残存用紙
１１  用紙送りローラー
１２  残存用紙入れ部
１３  穿孔用刃
１４  第１面光学読み取り部
１５  第２面光学読み取り部
１６  用紙裏返し機構
１７  可動ローラー
１８  パーソナルコンピュータ
１９  穿孔ヘッド